(57)【要約】  【課題】  エントランスのドアに開錠装置の無い集合住宅に後から設置することができ、かつ、コストのかからない集合住宅用の開錠装置を提供することを課題とする。  【解決手段】  集合住宅用開錠装置として、電話番号を記憶する記憶手段を有し、指定した電話番号からの着信のみに応答して着信音を発する機能を有する携帯電話と、電気信号により開閉される電気錠と、前記携帯電話の着信音信号を受け付ける着信音受付手段と、前記着信受付手段が所定長さ着信音信号を受け付けると前記電気錠を開錠する開錠手段とを有する。【選択図】  図１
0003113906.tif 000002
【実用新案登録請求の範囲】
【請求項１】
電話番号を記憶する記憶手段を有し、特定の電話番号からの着信のみに応答して着信音を発する機能を有する携帯電話と、
電気信号により開閉される電気錠と、
前記携帯電話の着信音信号を受け付ける着信音受付手段と、
前記着信受付手段が所定長さの着信音信号を受け付けると前記電気錠を開錠する開錠手段と
を有する集合住宅用開錠装置。
【請求項２】
前記着信音受付手段は、前記携帯電話のイヤホンジャックに接続される信号線により着信音信号を受け付ける請求項１に記載の集合住宅用開錠装置。
【考案の詳細な説明】
【技術分野】
【０００１】
本考案は集合住宅のエントランスに設けられるドアの開閉を遠隔操作により行うための装置に関する。
【背景技術】
【０００２】
近年、マンションなどの集合住宅には防犯のために、エントランスのドアに鍵が設けてあることが多い。この鍵は、集合住宅の住人が知る暗証番号で開く他、個々の住居内からの操作によっても開くことができる。
通常は、この種の開錠装置は、エントランスのドアに設けられた電気錠と各住居とが電気的に接続され各住居からの信号を受けて電気錠を開錠するシステムを採用している。
【考案の開示】
【考案が解決しようとする課題】
【０００３】
しかし、このような開錠システムは集合住宅の施工時に設置しておく必要があり、エントランスのドアに開錠装置の無い集合住宅に後から設置することができない。これを解決するために、無線を利用する方法もあるが、各住居に無線装置を設置する必要があり高価なものとなってしまう。
本考案は、このような問題に鑑みて、エントランスのドアに開錠装置の無い集合住宅に後から設置することができ、かつ、コストのかからない集合住宅用の開錠装置を提供することを課題とする。
【課題を解決するための手段】
【０００４】
上記課題を解決するために、本考案は次のような構成を有する。
請求項１に記載の考案は、電話番号を記憶する記憶手段を有し、指定した電話番号からの着信のみに応答して着信音を発する機能を有する携帯電話と、電気信号により開閉される電気錠と、前記携帯電話の着信音信号を受け付ける着信音受付手段と、前記着信受付手段が所定長さ着信音信号を受け付けると前記電気錠を開錠する開錠手段とを有する集合住宅用開錠装置である。
このような構成により、装置内の携帯電話に集合住宅の住人の固定電話や携帯電話の電話番号を予め登録しておき、この電話番号からの着信のみに応答して着信音を発するように設定しておくことで、集合住宅の住人の携帯電話から装置の携帯電話へ電話をかけることで、装置の携帯電話からの着信音信号が発生し、これを着信音受付手段が所定時間受け付けると開錠手段により、電気錠が開錠する。
請求項２に記載の考案は、前記集合住宅用開錠装置において、前記着信音受付手段は、前記携帯電話のイヤホンジャックに接続される信号線により着信音信号を受け付ける。
【考案の効果】
【０００５】
請求項１に記載の考案は、携帯電話を利用するために信号線を各住居に引く必要がなく、エントランスのドアに開錠装置の無い集合住宅にでも後から設置することができる。また、各住居の携帯電話や固定電話を使用するためにシステム全体のコストを低減させることができる。
請求項２に記載の考案は、携帯電話のイヤホンジャックはほとんどの携帯電話に設けられているので、携帯電話の機種を問うことなくほとんど全ての携帯電話を本集合住宅用開錠装置の携帯電話として使用することができる。
【考案を実施するための最良の形態】
【０００６】
以下、本考案の実施形態について、図面を参照しながら説明する。
図１に本実施形態に係る集合住宅用開錠装置Ｘのハードウエア構成を模式的に示すブロック図を示す。本集合住宅開錠装置Ｘは、携帯電話１０と、制御装置２０と、電気錠３０とから構成される。制御装置２０はマイコンにより制御されるものであり、プログラムに従って演算処理を行うＣＰＵ１０１、ＣＰＵ１０１の作業領域となるＲＡＭ１０２、プログラム等を記録するＲＯＭ１０３、外部との信号のやり取りを行うインターフェース１０４等から構成される。
携帯電話１０は、現在市販されている一般的な携帯電話であり、メモリ機能を有している。メモリ機能は、記憶する対象者の氏名等のインデックス情報と電話番号を関連付けて記憶することができる。さらに、携帯電話１０には着信拒否機能が設けてあり、メモリ機能に記憶された所定の電話番号の着信のみに対して応答して着信音を発するように設定することができる。また、携帯電話１０にはイヤホンジャックが設けられており、このイヤホンジャックから制御装置２０のインターフェース１０４へ音声信号が送られるようになっている。
電気錠３０は、デッドボルトの出没動をソレノイドの通電により行うものであり、所定の信号入力により開錠し、別の信号により施錠できるようになっている。
【０００７】
次に、以上のような構成を有する集合住宅用開錠装置Ｘの動作について説明する。なお、携帯電話１０には予め集合住宅に住む住人の電話番号がメモリ機能に記憶されており、着信拒否機能により住人の電話番号にのみ着信するように設定してある。また、電気錠３０は、集合住宅のエントランスのドアに設置されているものとする。図２に制御装置２０の動作を表すフローチャートを示す。制御装置２０にはかかる動作を行うためのプログラムが記憶されている。
まず、通常は電気錠３０は施錠状態にあり、制御装置２０は携帯電話１０からの音声信号の入力を待っている（ｓ１０１）、携帯電話１０から音声信号の入力があると、所定時間以上経過したかが判断され、所定時間以上が経過していなければ待機状態に戻り、所定時間以上が経過していれば電気錠３０に開錠信号を発信する（ｓ１０３）。所定時間の経過を判断するのは、イヤホンジャックからはノイズが音声信号として出力される場合があるので、これを排除するためであり、ここでは所定時間として０．１秒が設定されている。制御装置２０からの開錠信号を受けると電気錠は開錠する。そして、一定時間が経過すると制御装置２０は施錠信号を発信し電気錠３０を施錠する。ここでは、一定時間として３分が設定されている。施錠状態となると、制御装置２０は再び待機状態へと戻る。このように制御装置２０は、携帯電話１０からの着信音信号を受け付ける着信音受付手段、及び、所定長さの着信音を受け付けると電気錠３０を開錠する開錠手段として機能する。
以上のような構成、動作により、本集合住宅用開錠装置を設けた集合住宅の住人は自己が所有する電話によって集合住宅のエントランスのドアを開錠することができるようになる。そして、無線を使用するために、集合住宅の施工後に取付けることができ、また、各住人の電話を発信装置とするためにコストも比較的かからない。
なお、上記実施形態では、携帯電話のイヤホンジャックから音声信号を制御装置に入力するようにしているが、音声信号が携帯電話のインターフェースコネクタから出力される場合はインターフェースコネクタを使用するようにしてもよい。
【図面の簡単な説明】
【０００８】
【図１】実施形態に係る集合住宅用開錠装置のハードウエア構成を示すブロック図である。
【図２】制御装置の動作を示すフローチャートである。
【符号の説明】
【０００９】
Ｘ    集合住宅用施錠装置。
１０  携帯電話
２０  制御装置
３０  電気錠
【図１】
0003113906.tif 000003
【図２】
0003113906.tif 000004